(57)【要約】【課題】レリーズボタンの全押し、半押しのストロークの調整や外観カバーからの突出量の調整を容易に行うことができるレリーズボタン調整機構を提供する。【解決手段】半押し及び全押しの二段階作動が可能なレリーズボタン２を支持する第1基板６と、前記レリーズボタンの押込みによる前記レリーズボタンの半押し及び全押しを検出するレリーズスイッチ２４と、前記第１基板に対して所定の間隔で配置され前記レリーズスイッチを支持する第２基板１８と、前記第２基板に設けられ、該前記第２基板と前記第１基板との間隔を調整することにより前記レリーズスイッチの半押しストロークを調整する半押しストローク調整部材２８と、前記第２基板に設けられ、前記レリーズスイッチの前記レリーズボタンに対する位置を調整することにより前記レリーズスイッチの全押しストロークを調整する全押しストローク調整部材３０とを備える。【選択図】図１
2010049151.tif 000002
【特許請求の範囲】
【請求項１】
半押し及び全押しの二段階作動が可能なレリーズボタンを支持する第1基板と、
前記レリーズボタンの押込みによる前記レリーズボタンの半押し及び全押しを検出するレリーズスイッチと、
前記第１基板に対して所定の間隔で配置され前記レリーズスイッチを支持する第２基板と、
前記第２基板に設けられ、該前記第２基板と前記第１基板との間隔を調整することにより前記レリーズスイッチの半押しストロークを調整する半押しストローク調整部材と、
前記第２基板に設けられ、前記レリーズスイッチの前記レリーズボタンに対する位置を調整することにより前記レリーズスイッチの全押しストロークを調整する全押しストローク調整部材と
を備えることを特徴とするレリーズボタン調整機構。
【請求項２】
前記レリーズボタンは、外観カバーに形成された穴部を貫通して前記第1基板に支持され、
前記第１基板に設けられ、該第１基板と前記外観カバーとの間隔を調整することにより前記レリーズボタンの前記外観カバーからの突出量を調整する突出量調整部材を備えることを特徴とする請求項１記載のレリーズボタン調整機構。
【請求項３】
前記半押しストローク調整部材、前記全押しストローク調整部材及び前記突出量調整部材は、前記外観カバーの内側から調整可能であることを特徴とする請求項２記載のレリーズボタン調整機構。
【請求項４】
前記半押しストローク調整部材、前記全押しストローク調整部材及び前記突出量調整部材は、それぞれ独立して無段階に調整可能であることを特徴とする請求項２または請求項３記載のレリーズボタン調整機構。
【発明の詳細な説明】
【技術分野】
【０００１】
本発明は、カメラに設けられる半押し、全押しの二段階作動が可能なレリーズボタンの調整機構に関するものである。
【背景技術】
【０００２】
従来、半押し、全押しの二段階作動が可能なレリーズボタンを有するカメラにおいては、不用意な誤動作を防止するためにレリーズボタンの作動ストロークを長くしたいという要望や、シャッタチャンスを逃さないようにするためにレリーズボタンの作動ストロークを短くしたいという要望があり、また寒冷地での手袋使用の際などの操作性改善のため、レリーズボタンのカメラの外観カバーからの突出量を調整可能とする要望も存在する。このような要望に応えるために、調整用部材を交換することで、レリーズボタンの作動ストローク及びレリーズボタンのカメラの外観カバーからの突出量の変更を行うことができるカメラが存在する（例えば、特許文献１参照）。
【特許文献１】特開平１１−３３８００４号公報
【発明の開示】
【発明が解決しようとする課題】
【０００３】
しかしながら上述のカメラにおいては、調整用部材を交換することにより、レリーズボタンのストロークの調整や、レリーズボタンの外観カバーからの突出量の調整を行っていることから、調整用部材を持ち歩く必要があり、また複数の調整用部材を準備する必要があった。
【０００４】
本発明の目的は、レリーズボタンのストロークの調整や突出量の調整を容易に行うことができるレリーズボタン調整機構を提供することである。
【課題を解決するための手段】
【０００５】
本発明のレリーズボタン調整機構は、半押し及び全押しの二段階作動が可能なレリーズボタンを支持する第1基板と、前記レリーズボタンの押込みによる前記レリーズボタンの半押し及び全押しを検出するレリーズスイッチと、前記第１基板に対して所定の間隔で配置され前記レリーズスイッチを支持する第２基板と、前記第２基板に設けられ、該前記第２基板と前記第１基板との間隔を調整することにより前記レリーズスイッチの半押しストロークを調整する半押しストローク調整部材と、前記第２基板に設けられ、前記レリーズスイッチの前記レリーズボタンに対する位置を調整することにより前記レリーズスイッチの全押しストロークを調整する全押しストローク調整部材とを備えることを特徴とする。
【発明の効果】
【０００６】
本発明のレリーズボタン調整機構によれば、レリーズボタンの半押し、全押しのストロークの調整や外観カバーからの突出量の調整を容易に行うことができる。
【発明を実施するための最良の形態】
【０００７】
以下、図面を参照して本発明の実施の形態に係るカメラのレリーズボタン調整機構について説明する。図１は、実施の形態に係るカメラのレリーズボタン調整機構の構成を示す断面図である。レリーズボタン２は、カメラ５０（図５参照）の上部に設けられており、操作部２ａと押圧突起部２ｂとを有している。外観カバー４の内側には、該外観カバー４と所定の間隔で突出量調整基板（第1基板）６が配置されており、レリーズボタン２の押圧突起部２ｂが外観カバー４及び突出量調整基板６を貫通している。またレリーズボタン２は、外観カバー４との間に配置されたコイルバネ８により外観側に付勢されており、Eリング１０により突出量調整基板６に固定されている。突出量調整基板６には、外観カバー４の内面に対向する面にガイド軸１２が一体的に形成されている。突出量調整基板６は、ガイド軸１２を案内としてコイルバネ１４により外観カバー４の内面に対して間隔を広げる方向に付勢されている。また外観カバー４と突出量調整基板６は、外観カバー４と突出量調整基板６との間隔を変更するための突出量調整ねじ（突出量調整部材）１６により接続されている。
【０００８】
突出量調整基板６の内側には、該突出量調整基板６と所定の間隔でストローク調整基板（第２基板）１８が配置されている。ストローク調整基板１８は、突出量調整基板６に対向する面に案内軸２０が一体的に形成されている。ストローク調整基板１８は、案内軸２０を案内としてコイルバネ２２により突出量調整基板６に対して間隔を広げる方向に付勢されており、Eリング２３により突出量調整基板６に抜け止めされている。ストローク調整基板１８には、レリーズボタン２の半押し及び全押しを検出するレリーズスイッチ２４が設けられている。ここでレリーズスイッチ２４は、所定の間隔で配置された第1の板バネ接点２４ａ、第２の板バネ接点２４ｂ及び第３の板バネ接点２４ｃを有し、その基底部がねじ部材２６によりストローク調整基板１８に固定され、各板バネ接点２４ａ、２４ｂ、２４ｃの先端部がストローク調整基板１８に形成された規制部１８ａ、１８ｂ、１８ｃにそれぞれ当接されている。
【０００９】
また、ストローク調整基板１８は、突出量調整基板６に対して、ストローク調整基板１８と突出量調整基板６との間隔を調整するための第１調整ビス（半押しストローク調整部材）２８により接続されている。また、ストローク調整基板１８には、第２の板バネ接点２４ｂと第３の板バネ接点２４ｃとの間隔を調整するための第２調整ビス（全押しストローク調整部材）３０が設けられている。
【００１０】
本実施の形態にかかるレリーズボタン調整機構において、レリーズボタン２の突出量を変更する場合には、突出量調整ねじ１６を回転させる。突出量調整ねじ１６を回転させると、図２に示すように外観カバー４と突出量調整基板６との間隔が変更されて、レリーズボタン２の操作部２ａの外観カバー４からの突出量が無段階に変化する。ここで外観カバー４と突出量調整基板６との間隔が変更された場合には、突出量調整基板６とストローク調整基板１８が一体として移動するため、レリーズボタン２の半押し、全押しのストロークは変化しない。
【００１１】
また、本実施の形態にかかるレリーズボタン調整機構において、レリーズボタン２の半押しストロークは、第1の板バネ接点２４ａと第２の板バネ接点２４ｂとが接した状態で、レリーズボタン２の半押しの判定がなされるため、レリーズボタン２の押圧突起部２ｂの先端と第1の板バネ接点２４ａとの間隔（空走距離）と、第1の板バネ接点２４ａと第２の板バネ接点２４ｂとの間隔との合計の距離である。レリーズボタン２の半押しストロークを変更する場合には、第１調整ビス２８を回転させる。第１調整ビス２８を回転させると、図３に示すようにストローク調整基板１８の突出量調整基板６に対する位置が変化する。これによりレリーズボタン２の押圧突起部２ｂの先端と第1の板バネ接点２４ａとの間隔（空走距離）が狭くなる。更に、第１調整ビス２８を回転させると押圧突起部２ｂの先端が第1の板バネ接点２４ａを押し下げて、第２の板バネ接点２４ｂとの間隔が狭くなる。このようにしてレリーズボタン２の半押しストロークが無段階に変更される。なお、この場合に、レリーズボタン２の外観カバー４からの突出量及びレリーズボタン２の全押しストロークは変化しない。
【００１２】
また、本実施の形態にかかるレリーズボタン調整機構において、レリーズボタン２の全押しストロークは、第1の板バネ接点２４ａ、第２の板バネ接点２４ｂ及び第３の板バネ接点２４ｃが接した状態で、レリーズボタン２の全押しの判定がなされるため、レリーズボタン２の押圧突起部２ｂの先端と第３の板バネ接点２４ｃとの距離である。レリーズボタン２の全押しストロークを変更する場合には、第２調整ビス３０を回転させる。第２調整ビス３０を回転させると、図４に示すように第３の板バネ接点２４ｃと、レリーズボタン２の押圧突起部２ｂの先端との距離が狭くなる。このようにしてレリーズボタン２の全押しストロークが無段階に変更される。なお、この場合に、レリーズボタン２の外観カバー４からの突出量及びレリーズボタン２の半押しストロークは変化しない。
【００１３】
本実施の形態にかかるレリーズボタン調整機構の突出量調整ねじ１６、第１調整ビス２８及び第２調整ビス３０は、カメラ５０の外観カバー４の内面側に形成されている。従って、図５に示すように、突出量調整ねじ１６、第１調整ビス２８及び第２調整ビス３０をカメラ５０のグリップ部内に形成されている電池室１００に露出するように形成することにより、電池室１００内にドライバーなどの工具を挿入して、突出量調整ねじ１６、第１調整ビス２８及び第２調整ビス３０を回転させることにより、レリーズボタン２の外観カバー４からの突出量、レリーズボタン２の半押しストローク、全押しストロークをそれぞれ個別に調整することができる。
【００１４】
また、突出量調整ねじ１６、第１調整ビス２８及び第２調整ビス３０は、カメラ５０の外観カバー４の内面側に形成されているため、突出量調整ねじ１６、第１調整ビス２８及び第２調整ビス３０がカメラの外観に露出することがなく、カメラ外観の美観を損ねることがない。また、防滴、防塵の対策としても好ましい。
【００１５】
また、図６に示すように、縦位置撮影用のレリーズボタン６０を備えるカメラや、カメラ本体に一体的に取り付けられる外部電源装置の中で縦位置レリーズボタンを備えるものに関しても、電池室１００内等、レリーズボタン２の裏側からドライバーなどの工具で調整可能である。
【００１６】
なお、上述の実施の形態においては、レリーズボタン２の外観カバー４からの突出量、レリーズボタン２の半押しストローク、全押しストロークをそれぞれ個別に調整することができる構成を採用しているが、例えばレリーズボタン２の外観カバー４からの突出量の調整が不要な場合には、外観カバーと突出量調整基板６とを一体の部品とすればよい。また、レリーズボタン２の半押しストロークの調整が不要な場合には、突出量調整基板６とストローク調整基板１８とを一体の部品とすればよい。更にレリーズボタン２の全押しストロークの調整が不要な場合には、第２調整ビス３０を廃止すればよい。これらの場合には、レリーズボタン調整機構の構成を簡素化することができると共に小型化を図ることができる。
【図面の簡単な説明】
【００１７】
【図１】本発明の実施の形態に係るカメラのレリーズボタン調整機構を示す断面図である。
【図２】本発明の実施の形態に係るカメラのレリーズボタン調整機構によりレリーズボタンの突出量を調整した状態を示す図である。
【図３】本発明の実施の形態に係るカメラのレリーズボタン調整機構によりレリーズボタンの半押しストロークを調整した状態を示す図である。
【図４】本発明の実施の形態に係るカメラのレリーズボタン調整機構によりレリーズボタンの全押しストロークを調整した状態を示す図である。
【図５】本発明の実施の形態に係るカメラのレリーズボタン調整機構によりレリーズボタンの調整方法を示す図である。
【図６】本発明の実施の形態に係るカメラのレリーズボタン調整機構によりレリーズボタンの調整方法を示す図である。
【符号の説明】
【００１８】
２…レリーズボタン、２ａ…操作部、２ｂ…押圧突起部、４…外観カバー、６…突出量調整基板、１６…突出量調整ねじ、１８…ストローク調整基板、２４…レリーズスイッチ、２４ａ…第１の板ばね接点、２４ｂ…第２の板ばね接点、２４ｃ…第３の板ばね接点、２８…第１調整ビス、３０…第２調整ビス。
【図１】
2010049151.tif 000003
【図２】
2010049151.tif 000004
【図３】
2010049151.tif 000005
【図４】
2010049151.tif 000006
【図５】
2010049151.tif 000007
【図６】
2010049151.tif 000008